(57)【要約】  データ通信処理方法および装置を提供する。当該方法は、変調次数および目標符号化率を取得することと、少なくともリソースエレメントの総数、変調次数および目標符号化率に従って情報ビットの中間数Ｎｉｎｆｏを計算することと、情報ビットの中間数Ｎｉｎｆｏを量子化して、量子化された中間数Ｎ′ｉｎｆｏを得ることと、量子化された中間数Ｎ′ｉｎｆｏに従ってトランスポートブロックサイズ（ＴＢＳ）を確定することとを含む。
2021513297.tif 000002
【特許請求の範囲】
【請求項１】
通信装置に適用されるデータ通信処理方法であって、
変調次数および目標符号化率を取得することと、
少なくともリソースエレメントの総数、前記変調次数および前記目標符号化率に従って情報ビットの中間数Ｎｉｎｆｏを計算することと、
前記情報ビットの前記中間数Ｎｉｎｆｏを量子化して、量子化された中間数Ｎ′ｉｎｆｏを得ることと、
前記量子化された中間数Ｎ′ｉｎｆｏに従ってトランスポートブロックサイズ（ＴＢＳ）を確定することとを備える、方法。
【請求項２】
前記変調次数および前記目標符号化率を取得することは、
無線通信ノードから制御情報を受信することを備え、前記制御情報は少なくとも変調符号化方式（ＭＣＳ）フィールド情報を備え、前記変調次数および前記目標符号化率を取得することはさらに、
前記ＭＣＳフィールド情報に従ってＭＣＳテーブルから前記変調次数および前記目標符号化率を確定することを備える、請求項１に記載の方法。
【請求項３】
前記量子化された中間数Ｎ′ｉｎｆｏに従って前記ＴＢＳを確定することは、前記量子化された中間数Ｎ′ｉｎｆｏに従って一次元のＴＢＳテーブルから１つのＴＢＳを選択することを備える、請求項１に記載の方法。
【請求項４】
【数１】
2021513297.tif 000034
【請求項５】
【数２】
2021513297.tif 000035
【請求項６】
【数３】
2021513297.tif 000036
【請求項７】
【数４】
2021513297.tif 000037
【請求項８】
前記情報ビットの前記中間数は予め設定された閾値以下であり、前記予め設定された閾値は３８２４、３８１６、３８４０または３８９６に等しい、請求項１から６のいずれか１項に記載の方法。
【請求項９】
上位層シグナリングに従って複数のＭＣＳテーブルから前記ＭＣＳテーブルを確定することをさらに備える、請求項２に記載の方法。
【請求項１０】
前記複数のＭＣＳテーブルは少なくとも１つのＭＣＳテーブルを備え、前記１つのＭＣＳテーブルは少なくとも以下のフィールド、すなわち、ＭＣＳインデックス、変調次数、および目標符号化率を備え、
前記１つのＭＣＳテーブル内の変調次数が１であるすべてのＭＣＳの中の最大目標符号化率はマザーコードの符号化率とΔａとの和に等しく、Δａは−０．０８よりも大きく０．０８よりも小さい実数である、請求項９に記載の方法。
【請求項１１】
前記複数のＭＣＳテーブルは少なくとも１つのＭＣＳテーブルを備え、前記１つのＭＣＳテーブルは少なくとも以下のフィールド、すなわち、ＭＣＳインデックス、変調次数、目標符号化率、およびスペクトル効率を備え、
前記１つのＭＣＳテーブル内の前記スペクトル効率がΔｓ未満であるＭＣＳに対応する冗長バージョンはＲＶ０のみであり、前記１つのＭＣＳテーブル内の前記スペクトル効率がΔｓよりも大きいＭＣＳに対応する冗長バージョンはＲＶ０およびＲＶ２のみであり、Δｓは０．６５よりも大きく０．８５よりも小さい実数である、請求項９に記載の方法。
【請求項１２】
前記複数のＭＣＳテーブルは少なくとも１つのＭＣＳテーブルを備え、前記１つのＭＣＳテーブルは少なくとも以下のフィールド、すなわち、ＭＣＳインデックス、変調次数、および目標符号化率を備え、
前記１つのＭＣＳテーブルにおいて、前記目標符号化率がマザーコードの符号化率とΔｂとの和よりも小さいＭＣＳに対応する冗長バージョンはＲＶ０のみであり、Δｂは０．１以下の正の実数である、請求項９に記載の方法。
【請求項１３】
前記１つのＭＣＳテーブルにおいて、前記目標符号化率が前記マザーコードの前記符号化率とΔｂとの前記和よりも大きく、前記マザーコードの前記符号化率の２倍とΔｃとの和よりも小さいＭＣＳに対応する冗長バージョンは｛ＲＶ０，ＲＶ２｝を備え、Δｂは０．１以下の正の実数であり、Δｃは０．１以下の正の実数である、請求項１２に記載の方法。
【請求項１４】
前記１つのＭＣＳテーブルにおいて、前記目標符号化率が前記マザーコードの前記符号化率の２倍とΔｃとの前記和よりも大きいＭＣＳに対応する冗長バージョンは｛ＲＶ０，ＲＶ２，ＲＶ３｝、｛ＲＶ０，ＲＶ２，ＲＶ１｝または｛ＲＶ０，ＲＶ２，ＲＶ３，ＲＶ１｝を備え、Δｃは０．１以下の正の実数である、請求項１３に記載の方法。
【請求項１５】
前記マザーコードの前記符号化率は０．２に等しい、請求項１０、１２から１４のいずれか１項に記載の方法。
【請求項１６】
前記ＭＣＳテーブルは少なくとも以下のフィールド、すなわち、ＭＣＳインデックス、前記変調次数、および前記目標符号化率を備え、
変調次数が１であるＭＣＳに対応する最大目標符号化率は１９８対１０２４の比、または２４０対１０２４の比である、請求項２に記載の方法。
【請求項１７】
無線通信ノードに適用されるデータ通信処理方法であって、
変調次数および目標符号化率を確定することと、
少なくともリソースエレメントの総数、前記変調次数および前記目標符号化率に従って情報ビットの中間数Ｎｉｎｆｏを計算することと、
前記情報ビットの前記中間数Ｎｉｎｆｏを量子化して、量子化された中間数Ｎ′ｉｎｆｏを得ることと、
前記量子化された中間数Ｎ′ｉｎｆｏに従ってトランスポートブロックサイズ（ＴＢＳ）を確定することとを備える、方法。
【請求項１８】
前記変調次数および前記目標符号化率を確定することは、
無線通信ノードに関連する通信装置の制御情報を生成することを備え、前記制御情報は少なくとも変調符号化方式（ＭＣＳ）フィールド情報を備え、前記変調次数および前記目標符号化率を確定することはさらに、
前記ＭＣＳフィールド情報に従ってＭＣＳテーブルから前記変調次数および前記目標符号化率を確定することを備える、請求項１７に記載の方法。
【請求項１９】
前記量子化された中間数Ｎ′ｉｎｆｏに従って前記ＴＢＳを確定することは、前記量子化された中間数Ｎ′ｉｎｆｏに従って一次元のＴＢＳテーブルから１つのＴＢＳを選択することを備える、請求項１７に記載の方法。
【請求項２０】
【数５】
2021513297.tif 000038
【請求項２１】
【数６】
2021513297.tif 000039
【請求項２２】
【数７】
2021513297.tif 000040
【請求項２３】
【数８】
2021513297.tif 000041
【請求項２４】
前記情報ビットの前記中間数は予め設定された閾値以下であり、前記予め設定された閾値は３８２４、３８１６、３８４０または３８９６に等しい、請求項１７から２３のいずれか１項に記載の方法。
【請求項２５】
上位層シグナリングに従って複数のＭＣＳテーブルから前記ＭＣＳテーブルを確定することをさらに備える、請求項１８に記載の方法。
【請求項２６】
前記複数のＭＣＳテーブルは少なくとも１つのＭＣＳテーブルを備え、前記１つのＭＣＳテーブルは少なくとも以下のフィールド、すなわち、ＭＣＳインデックス、変調次数、および目標符号化率を備え、
前記１つのＭＣＳテーブル内の変調次数が１であるすべてのＭＣＳの中の最大目標符号化率はマザーコードの符号化率とΔａとの和に等しく、Δａは−０．０８よりも大きく０．０８よりも小さい実数である、請求項２５に記載の方法。
【請求項２７】
前記複数のＭＣＳテーブルは少なくとも１つのＭＣＳテーブルを備え、前記１つのＭＣＳテーブルは少なくとも以下のフィールド、すなわち、ＭＣＳインデックス、変調次数、目標符号化率、およびスペクトル効率を備え、
前記１つのＭＣＳテーブル内の前記スペクトル効率がΔｓ未満であるＭＣＳに対応する冗長バージョンはＲＶ０のみであり、前記１つのＭＣＳテーブル内の前記スペクトル効率がΔｓよりも大きいＭＣＳに対応する冗長バージョンはＲＶ０およびＲＶ２のみであり、Δｓは０．６５よりも大きく０．８５よりも小さい実数である、請求項２５に記載の方法。
【請求項２８】
前記複数のＭＣＳテーブルは少なくとも１つのＭＣＳテーブルを備え、前記１つのＭＣＳテーブルは少なくとも以下のフィールド、すなわち、ＭＣＳインデックス、変調次数、および目標符号化率を備え、
前記１つのＭＣＳテーブルにおいて、前記目標符号化率がマザーコードとΔｂとの和よりも小さいＭＣＳに対応する冗長バージョンはＲＶ０のみであり、Δｂは０．１以下の正の実数である、請求項２５に記載の方法。
【請求項２９】
前記１つのＭＣＳテーブルにおいて、前記目標符号化率が前記マザーコードとΔｂとの前記和よりも大きく、前記マザーコードの符号化率の２倍とΔｃとの和よりも小さいＭＣＳに対応する冗長バージョンは｛ＲＶ０，ＲＶ２｝を備え、Δｂは０．１以下の正の実数であり、Δｃは０．１以下の正の実数である、請求項２８に記載の方法。
【請求項３０】
前記１つのＭＣＳテーブルにおいて、前記目標符号化率が前記マザーコードの前記符号化率の２倍とΔｃとの前記和よりも大きいＭＣＳに対応する冗長バージョンは｛ＲＶ０，ＲＶ２，ＲＶ３｝、｛ＲＶ０，ＲＶ２，ＲＶ１｝または｛ＲＶ０，ＲＶ２，ＲＶ３，ＲＶ１｝を備え、Δｃは０．１以下の正の実数である、請求項２９に記載の方法。
【請求項３１】
前記マザーコードの前記符号化率は０．２に等しい、請求項２６、２８から３０のいずれか１項に記載の方法。
【請求項３２】
前記ＭＣＳテーブルは少なくとも以下のフィールド、すなわち、ＭＣＳインデックス、前記変調次数、および前記目標符号化率を備え、
変調次数が１であるＭＣＳに対応する最大目標符号化率は１９８対１０２４の比、または２４０対１０２４の比である、請求項１８に記載の方法。
【請求項３３】
基地局に適用されるデータ通信処理装置であって、
変調次数および目標符号化率を取得するように構成された第１の取得モジュールと、
少なくともリソースエレメントの総数、前記変調次数および前記目標符号化率に従って情報ビットの中間数Ｎｉｎｆｏを計算するように構成された計算モジュールと、
前記情報ビットの前記中間数Ｎｉｎｆｏを量子化して、量子化された中間数Ｎ′ｉｎｆｏを得るように構成された第２の取得モジュールと、
前記量子化された中間数Ｎ′ｉｎｆｏに従ってトランスポートブロックサイズ（ＴＢＳ）を確定するように構成された確定モジュールとを備える、装置。
【請求項３４】
端末に適用されるデータ通信処理装置であって、
変調次数および目標符号化率を確定するように構成された第１の確定モジュールと、
少なくともリソースエレメントの総数、前記変調次数および前記目標符号化率に従って情報ビットの中間数Ｎｉｎｆｏを計算するように構成された計算モジュールと、
前記情報ビットの前記中間数Ｎｉｎｆｏを量子化して、量子化された中間数Ｎ′ｉｎｆｏを得るように構成された取得モジュールと、
前記量子化された中間数Ｎ′ｉｎｆｏに従ってトランスポートブロックサイズ（ＴＢＳ）を確定するように構成された第２の確定モジュールとを備える、装置。
【請求項３５】
コンピュータプログラムを格納するように構成された記憶媒体であって、前記コンピュータプログラムは、実行されると請求項１から１６または１７から３２のいずれか１項に記載の方法を実行する、記憶媒体。
【請求項３６】
メモリおよびプロセッサを備える電子装置であって、前記メモリはコンピュータプログラムを格納しており、前記プロセッサは前記コンピュータプログラムを実行して請求項１から１６または１７から３２のいずれか１項に記載の方法を実行するように構成される、電子装置。
【発明の詳細な説明】
【技術分野】
【０００１】
本開示は、１８年２月１２日に出願された中国特許出願第２０１８１０１４７５９６．６号に基づく優先権を主張し、その開示全体を本明細書に引用により援用する。
【０００２】
技術分野
本開示は通信分野に関し、たとえばデータ通信処理方法および装置に関する。
【背景技術】
【０００３】
背景
移動通信システムにおいては、無線フェージングチャネルの経時変化する特性のために、通信プロセスに多くの不確実性が存在する。一方では、システムのスループットを向上させるために、伝送速度が高い高次変調と冗長性が低い誤り訂正符号とが通信に用いられる。このように、無線フェージングチャネルの信号対雑音比が理想的である場合は、システムのスループットが大幅に向上するが、チャネルがディープフェージングにある場合は、通信の信頼性および安定性を保証することができない。他方では、通信の信頼性を確保するために、伝送速度が低い低次変調と冗長性が高い誤り訂正符号とが通信に用いられる。すなわち、無線チャネルがディープフェージングにある場合は、信頼性の高い通信が行われる。しかしながら、チャネルの信号対雑音比が高い場合は、比較的低い伝送速度のために、システムのスループットの向上が制限される。
【０００４】
ロング・ターム・エボリューション（ＬＴＥ）システムにおいては、適応変調符号化技術を達成するために、アップリンク伝送制御情報は、チャネル状態情報（ＣＳＩ）などの制御シグナリングを主に含む。ＣＳＩは、チャネル品質指標（ＣＱＩ）、プリコーディング行列指標（ＰＭＩ）、およびランクインジケータ（ＲＩ）を含む。ＣＳＩは、ダウンリンク物理チャネル状態を反映する。基地局は、ダウンリンクスケジューリングならびにデータ符号化および変調のためにＣＳＩを用いる。ＣＳＩのフィードバックは周期的にまたは非周期的にフィードバックされ得る。
【０００５】
ＣＱＩは、ダウンリンクチャネルの品質を測定するための指標である。３ＧＰＰ  ＴＳ３６．２１３プロトコルでは、ＣＱＩは、それぞれ異なるＣＱＩレベルを表す０から１５の整数値で表される。ユーザ機器（ＵＥ）によって選択されるＣＱＩレベルは、対応する変調符号化方式（ＭＣＳ）下でのＣＱＩに対応する物理ダウンリンク共有チャネル（ＰＤＳＣＨ）または物理アップリンク共有チャネル（ＰＵＳＣＨ）のトランスポートブロック（ＴＢ）のブロック誤り率（ＢＬＥＲ）（ブロック誤り確率とも称される）が０．１を超えないことを保証すべきである。
【０００６】
ＣＱＩテーブルは一般に直交振幅変調（ＱＡＭ）を含み、直交位相シフトキーイング（ＱＰＳＫ）はデジタル変調方法であり、ＱＰＳＫの変調方法に対応する変調次数は２であり、１６ＱＡＭに対応する変調次数は４であり、６４ＱＡＭに対応する変調次数は６であり、２５６ＱＡＭに対応する変調次数は８である。
【０００７】
ＬＴＥでは、差分ＣＱＩを除いて、ＣＱＩは４ビットで表される。ＣＱＩビットはアップリンク制御情報（ＵＣＩ）に含まれることによって報告される。基地局は、端末が報告するＣＱＩと連携してスケジューリングを行い、ダウンリンクＭＣＳインデックスおよびリソース割当て情報を確定する。Ｒｅｌ−８のＬＴＥプロトコルは、変調およびＴＢＳテーブル（以下ではＭＣＳテーブルとも称する）を規定する。ＭＣＳテーブルは３２レベルを有し、基本的に各レベルはＭＣＳインデックスに対応し、各ＭＣＳインデックスは１種類のＭＣＳ（１組の変調次数および符号化率、または１種類のスペクトル効率）に本質的に対応する。リソース割当て情報は、ダウンリンク伝送によって占められる必要がある物理リソースブロックの数（ＮＲＰＢ）を提供する。
【０００８】
端末は、ダウンリンク伝送のデータを受信すると、ダウンリンク伝送のデータ復調および復号のためにＭＣＳインデックスおよびトランスポートブロックサイズ（ＴＢＳ）を取得する必要がある。基地局は、５ビットのＭＣＳインデックスおよびリソース割当て位置を含む物理ダウンリンク制御チャネル（ＰＤＣＣＨ）において特定のダウンリンク制御情報（ＤＣＩ）フォーマットでダウンリンク制御情報を送信する。端末がダウンリンク制御情報を取得して、ＴＢＳテーブルに従ってＴＢＳを得た後、ＴＢＳは復調および復号に用いられる。
【０００９】
超高信頼・低遅延通信（ＵＲＬＬＣ）の通信シナリオでは、通信は高信頼・低遅延通信であることが要求され、データ通信は非常に短時間で超高信頼性を実践しなければならず、シグナリングをより簡潔で効率的にするためにシグナリングを圧縮する必要などがある。しかしながら、現在のＬＴＥまたは新無線（ＮＲ）のＭＣＳテーブルはＵＲＬＬＣ通信のシステム要件を満たさない場合がある。
【００１０】
また、通信プロセスでは、送信端および受信端の両方でＴＢＳ情報を確定する必要がある。現在のＮＲ通信プロトコルでは、高いＭＣＳレベルで計算されたＴＢＳによって実際の有効符号化率が０．９５よりも大きくなるため、受信端はトランスポートブロック情報を正確に復号することができず、復号のために再伝送処理を行わなければならず、大きなシステム遅延が生じ、通信安定性に深刻な影響を与える。
【発明の概要】
【発明が解決しようとする課題】
【００１１】
関連技術において、通信システムは低遅延・高信頼通信の課題を効果的にサポートできておらず、効果的な解決策はまだ提案されていない。
【００１２】
概要
本開示は、少なくとも関連技術における通信システムが低遅延・高信頼通信を効果的にサポートできないという課題を解決するデータ通信処理方法および装置を提供する。
【課題を解決するための手段】
【００１３】
本開示は、通信装置に適用されるデータ通信処理方法を提供する。上記方法は、変調次数および目標符号化率を取得することと、少なくともリソースエレメントの総数、上記変調次数および上記目標符号化率に従って情報ビットの中間数Ｎｉｎｆｏを計算することと、上記情報ビットの上記中間数Ｎｉｎｆｏを量子化して、量子化された中間数Ｎ′ｉｎｆｏを得ることと、上記量子化された中間数Ｎ′ｉｎｆｏに従ってトランスポートブロックサイズ（ＴＢＳ）を確定することとを含む。
【００１４】
本開示は、無線通信ノードに適用されるデータ通信処理方法を提供する。上記方法は、変調次数および目標符号化率を確定することと、少なくともリソースエレメントの総数、上記変調次数および上記目標符号化率に従って情報ビットの中間数Ｎｉｎｆｏを計算することと、上記情報ビットの上記中間数Ｎｉｎｆｏを量子化して、量子化された中間数Ｎ′ｉｎｆｏを得ることと、上記量子化された中間数Ｎ′ｉｎｆｏに従ってトランスポートブロックサイズ（ＴＢＳ）を確定することとを含む。
【００１５】
本開示は、基地局に適用されるデータ通信処理装置を提供する。上記装置は、変調次数および目標符号化率を取得するように構成された第１の取得モジュールと、少なくともリソースエレメントの総数、上記変調次数および上記目標符号化率に従って情報ビットの中間数Ｎｉｎｆｏを計算するように構成された計算モジュールと、上記情報ビットの上記中間数Ｎｉｎｆｏを量子化して、量子化された中間数Ｎ′ｉｎｆｏを得るように構成された第２の取得モジュールと、上記量子化された中間数Ｎ′ｉｎｆｏに従ってトランスポートブロックサイズ（ＴＢＳ）を確定するように構成された確定モジュールとを含む。
【００１６】
本開示は、基地局に適用されるデータ通信処理装置を提供する。上記装置は、変調次数および目標符号化率を確定するように構成された第２の確定モジュールと、少なくともリソースエレメントの総数、上記変調次数および上記目標符号化率に従って情報ビットの中間数Ｎｉｎｆｏを計算するように構成された第２の計算モジュールと、上記情報ビットの上記中間数Ｎｉｎｆｏを量子化して、量子化された中間数Ｎ′ｉｎｆｏを得るように構成された第３の取得モジュールと、上記量子化された中間数Ｎ′ｉｎｆｏに従ってトランスポートブロックサイズ（ＴＢＳ）を確定するように構成された第３の確定モジュールとを含む。
【００１７】
本開示は、記憶媒体をさらに提供する。上記記憶媒体はコンピュータプログラムを格納するように構成され、上記コンピュータプログラムは実行されると上述の方法の実施形態のうちのいずれか１つのステップを実行する。
【００１８】
本開示は、メモリおよびプロセッサを含む電子装置をさらに提供する。上記メモリはコンピュータプログラムを格納するように構成され、上記プロセッサは上記コンピュータプログラムを実行して上述の方法の実施形態のうちのいずれか１つのステップを実行するように構成される。
【図面の簡単な説明】
【００１９】
【図１】本願の一実施形態に係るデータ通信処理方法のフローチャートの図である。
【図２】本願の一実施形態に係る別のデータ通信処理方法のフローチャートの図である。
【図３（ａ）】一実施形態によって提供される符号化率の概略図である。
【図３（ｂ）】一実施形態によって提供される別の符号化率の概略図である。
【図３（ｃ）】一実施形態によって提供される別の符号化率の概略図である。
【図４（ａ）】一実施形態によって提供されるデータ通信処理方法の性能図である。
【図４（ｂ）】一実施形態によって提供される別のデータ通信処理方法の性能図である。
【図５】一実施形態によって提供されるデータ通信処理装置のブロック図である。
【図６】一実施形態によって提供される別のデータ通信処理装置のブロック図である。
【発明を実施するための形態】
【００２０】
詳細な説明
図面を参照して実施形態とともに本開示を以下に詳細に説明する。
【００２１】
本開示の明細書、請求項、および上記図面における「第１の」、「第２の」などの用語は、類似の物同士を区別するために使用しており、必ずしも特定の順序または順番を説明するために使用しているとは限らない。
【００２２】
実施形態１
図１は、一実施形態に係るデータ通信処理方法のフローチャートである。当該方法は通信装置またはユーザ機器（ＵＥ）に適用される。図１に示すように、当該方法は以下に説明するステップＳ１０２、Ｓ１０４、Ｓ１０６およびＳ１０８を含む。
【００２３】
ステップＳ１０２において、変調次数および目標符号化率を取得する。
ステップＳ１０４において、少なくともリソースエレメントの総数、変調次数および目標符号化率に従って情報ビットの中間数Ｎｉｎｆｏを計算する。
【００２４】
ステップＳ１０６において、情報ビットの中間数Ｎｉｎｆｏを量子化して、量子化された中間数Ｎ′ｉｎｆｏを得る。
【００２５】
ステップＳ１０８において、量子化された中間数Ｎ′ｉｎｆｏに従ってトランスポートブロックサイズ（ＴＢＳ）を確定する。
【００２６】
一実施形態において、量子化された中間数Ｎ′ｉｎｆｏに従ってＴＢＳを確定するステップは、量子化された中間数Ｎ′ｉｎｆｏに従って一次元のＴＢＳテーブルから１つのＴＢＳを選択することを含む。
【００２７】
上記ステップＳ１０２からＳ１０８により、変調次数および目標符号化率を取得し、少なくともリソースエレメントの総数、変調次数および目標符号化率に従って情報ビットの中間数Ｎｉｎｆｏを計算し、情報ビットの中間数Ｎｉｎｆｏを量子化して量子化された中間数Ｎ′ｉｎｆｏを得て、量子化された中間数Ｎ′ｉｎｆｏに従ってトランスポートブロックサイズ（ＴＢＳ）を確定する。関連技術における通信システムが低遅延・高信頼通信を効果的にサポートできないという課題が解決し、基地局と端末との間の低遅延・高信頼通信の技術的効果が達成される。
【００２８】
一実施形態において、変調次数および目標符号化率を取得するステップは以下に説明するステップを含む。
【００２９】
ステップＳ１１０において、無線通信ノードから制御情報を受信し、制御情報は少なくとも変調符号化方式（ＭＣＳ）フィールド情報を含む。
【００３０】
ステップＳ１２０において、ＭＣＳフィールド情報に従ってＭＣＳテーブルから変調次数および目標符号化率を確定する。
【００３１】
上記ステップＳ１１０からＳ１２０により、関連技術における高いＭＣＳレベルで計算されたＴＢＳによって実際の有効符号化率が０．９５よりも大きくなるという課題が解決する。
【００３２】
図２は、一実施形態に係る別のデータ通信処理方法のフローチャートである。当該方法は無線通信ノード（基地局など）に適用される。図２に示すように、当該方法は以下に説明するステップＳ２０２、Ｓ２０４、Ｓ２０６およびＳ２０８を含む。
【００３３】
ステップＳ２０２において、変調次数および目標符号化率を取得する。
ステップＳ２０４において、少なくともリソースエレメントの総数、変調次数および目標符号化率に従って情報ビットの中間数Ｎｉｎｆｏを計算する。
【００３４】
ステップＳ２０６において、情報ビットの中間数Ｎｉｎｆｏを量子化して、量子化された中間数Ｎ′ｉｎｆｏを得る。
【００３５】
ステップＳ２０８において、量子化された中間数Ｎ′ｉｎｆｏに従ってトランスポートブロックサイズ（ＴＢＳ）を確定する。
【００３６】
一実施形態において、量子化された中間数Ｎ′ｉｎｆｏに従ってＴＢＳを確定するステップは、量子化された中間数Ｎ′ｉｎｆｏに従って一次元のＴＢＳテーブルから１つのＴＢＳを選択することを含む。
【００３７】
上記ステップＳ２０２からＳ２０８により、変調次数および目標符号化率を確定し、少なくともリソースエレメントの総数、変調次数および目標符号化率に従って情報ビットの中間数Ｎｉｎｆｏを計算し、情報ビットの中間数Ｎｉｎｆｏを量子化して量子化された中間数Ｎ′ｉｎｆｏを得て、量子化された中間数Ｎ′ｉｎｆｏに従ってトランスポートブロックサイズ（ＴＢＳ）を確定する。関連技術における通信システムが低遅延・高信頼通信を効果的にサポートできないという課題が解決し、基地局と端末との間の低遅延・高信頼通信の技術的効果が達成される。
【００３８】
一実施形態において、変調次数および目標符号化率を確定するステップは以下に説明するステップを含む。
【００３９】
ステップＳ２１０において、無線通信ノードに関連する通信装置の制御情報を生成し、制御情報は少なくとも変調符号化方式（ＭＣＳ）フィールド情報を含む。
【００４０】
ステップＳ２２０において、ＭＣＳフィールド情報に従ってＭＣＳテーブルから変調次数および目標符号化率を確定する。
【００４１】
上記ステップＳ２１０からＳ２２０により、関連技術における高いＭＣＳレベルで計算されたＴＢＳによって実際の有効符号化率が０．９５よりも大きくなるという課題が解決する。
【００４２】
一実施形態において、当該方法は以下に説明するステップをさらに含む。
ステップＳ３１０において、無線通信ノードはＴＢＳに従って通信装置（もしくはＵＥ）からのデータを復調および復号して、ＴＢＳのサイズの受信データを得るか、または、ＴＢＳの長さの情報ビットデータに対して低密度パリティ検査符号（ＬＤＰＣ）符号化を実行して、符号化されたデータを得て、符号化されたデータおよび制御情報を通信装置（もしくはＵＥ）に送信するか、または、制御情報を通信機器（もしくはＵＥ）に送信する。
【００４３】
【数１】
2021513297.tif 000003
【００４４】
一実施形態において、情報ビットの中間数Ｎｉｎｆｏは予め設定された閾値以下であり、予め設定された閾値は３８２４、３８１６、３８４０、または３８９６に等しい。
【００４５】
一実施形態において、上記方法は、上位層シグナリングに従って複数のＭＣＳテーブルから上記ＭＣＳテーブルを確定することをさらに含む。
【００４６】
一実施形態において、複数のＭＣＳテーブルは少なくとも１つのＭＣＳテーブルを含み、当該１つのＭＣＳテーブルは少なくとも以下のフィールド、すなわち、ＭＣＳインデックス、変調次数、および目標符号化率を含み、当該１つのＭＣＳテーブル内の変調次数が１であるすべてのＭＣＳの中の最大目標符号化率はマザーコードの符号化率とΔａとの和に等しく、Δａは−０．０８よりも大きく０．０８よりも小さい実数である。
【００４７】
一実施形態において、複数のＭＣＳテーブルは少なくとも１つのＭＣＳテーブルを含み、当該１つのＭＣＳテーブルは少なくとも以下のフィールド、すなわち、ＭＣＳインデックス、変調次数、目標符号化率、およびスペクトル効率を含み、当該１つのＭＣＳテーブル内のスペクトル効率がΔｓ未満であるＭＣＳに対応する冗長バージョンはＲＶ０のみであり、当該１つのＭＣＳテーブル内のスペクトル効率がΔｓよりも大きいＭＣＳに対応する冗長バージョンはＲＶ０およびＲＶ２のみであり、Δｓは０．６５よりも大きく０．８５よりも小さい実数である。
【００４８】
一実施形態において、複数のＭＣＳテーブルは少なくとも１つのＭＣＳテーブルを含み、当該１つのＭＣＳテーブルは少なくとも以下のフィールド、すなわち、ＭＣＳインデックス、変調次数、および目標符号化率を含み、当該１つのＭＣＳテーブルにおいて、目標符号化率がマザーコードとΔｂとの和よりも小さいＭＣＳに対応する冗長バージョンはＲＶ０のみであり、Δｂは０．１以下の正の実数である。
【００４９】
一実施形態において、当該１つのＭＣＳテーブルにおいて、目標符号化率がマザーコードとΔｂとの和よりも大きく、マザーコードの符号化率の２倍とΔｃとの和よりも小さいＭＣＳに対応する冗長バージョンは｛ＲＶ０，ＲＶ２｝を含み、Δｂは０．１以下の正の実数であり、Δｃは０．１以下の正の実数である。
【００５０】
一実施形態において、当該１つのＭＣＳテーブルにおいて、目標符号化率がマザーコードの符号化率の２倍とΔｃとの和よりも大きいＭＣＳに対応する冗長バージョンは｛ＲＶ０，ＲＶ２，ＲＶ３｝、｛ＲＶ０，ＲＶ２，ＲＶ１｝または｛ＲＶ０，ＲＶ２，ＲＶ３，ＲＶ１｝を含み、Δｃは０．１以下の正の実数である。
【００５１】
一実施形態において、マザーコードの符号化率は０．２に等しい。
一実施形態において、複数のＭＣＳテーブルは少なくとも１つのＭＣＳテーブルを含み、１つのＭＣＳテーブルにおいて、ＲＶ０のみをサポートするＭＣＳの番号は３または４である。
【００５２】
一実施形態において、複数のＭＣＳテーブルは少なくとも１つのＭＣＳテーブルを含み、１つのＭＣＳテーブルにおいて、ＲＶ０およびＲＶ２のみをサポートするＭＣＳの番号は４または５である。
【００５３】
一実施形態において、複数のＭＣＳテーブルは少なくとも１つのＭＣＳテーブルを含み、１つのＭＣＳテーブルにおいて、インデックスが０であるＭＣＳの目標符号化率は８０／１０２４であり、および／または、インデックスが１であるＭＣＳの目標符号化率は１５６／１０２４である。
【００５４】
一実施形態において、複数のＭＣＳテーブルは少なくとも１つのＭＣＳテーブルを含み、当該１つのＭＣＳテーブルは少なくとも以下のフィールド、すなわち、ＭＣＳインデックス、変調次数、目標符号化率、および冗長バージョン番号を含む。
【００５５】
一実施形態において、ＭＣＳテーブルは少なくとも以下のフィールド、すなわち、ＭＣＳインデックスおよび変調次数を含み、変調次数が１であるＭＣＳの数は４、５および６である。
【００５６】
一実施形態において、ＭＣＳテーブルは少なくとも以下のフィールド、すなわち、ＭＣＳインデックス、変調次数、および目標符号化率を含み、変調次数が１であるＭＣＳの最大目標符号化率は１９８／１０２４または２４０／１０２４である。
【００５７】
一実施形態において、ＭＣＳテーブルは少なくとも以下のフィールド、すなわち、ＭＣＳインデックスおよびスペクトル効率を含み、変調次数が１であるＭＣＳの最大目標符号化率は０．１９３４または０．２３４４である。
【００５８】
本実施形態を例示的な実施形態とともに一例として以下に説明する。
本実施形態では、新無線アクセス技術（ｎｅｗ  ＲＡＴ）通信システムに使用可能なデータ通信処理方法が提供される。この例示的な実施形態において提供される当該方法は、ロング・ターム・エボリューション（ＬＴＥ）移動通信システム、または将来の第５世代（５Ｇ）移動通信ネットワーク、またはその他の無線もしくは有線通信システムに適用可能であり、データ伝送方向は、基地局がモバイルユーザにデータを送信する方向（サービスデータのダウンリンク伝送）であるか、または、データ伝送方向は、モバイルユーザが基地局にデータを送信する方向（サービスデータのアップリンク伝送）である。モバイルユーザは、モバイル機器、アクセス端末、ユーザ端末、ユーザステーション、ユーザユニット、モバイルステーション、リモートステーション、リモート端末、ユーザエージェント、ユーザ機器、ユーザ装置、またはその他の名前で呼ばれる装置を含む。基地局は、ノードＢと称され得るアクセスポイント（ＡＰ）、無線ネットワークコントローラ（ＲＮＣ）、進化型ノードＢ（ｅＮＢ）、基地局コントローラ（ＢＳＣ）、基地局コントローラ（ＢＴＳ）、基地局（ＢＳ）、送受信機機能、無線ルータ、無線送受信機、基本サービスユニット（ＢＳＳ）、拡張サービスユニット（ＥＳＳ）、無線基地局（ＲＢＳ）、または他の装置を含む。
【００５９】
この例示的な実施形態の一局面によると、この例示的な実施形態において提供されるＭＣＳ変調符号化処理方法は新無線アクセス技術通信システムに適用されてもよく、新無線アクセス技術通信システムは、拡張モバイルブロードバンド（ｅＭＢＢ）シナリオ、ＵＲＬＬＣシナリオ、または大量のマシンタイプ通信（ｍＭＴＣ）シナリオを含む。
【００６０】
一実施形態において、当該実施形態は５Ｇの新ＲＡＴアプリケーションシナリオであり、上記の５Ｇ通信において、データチャネル符号化は準巡回ＬＤＰＣ符号化を使用し、準巡回ＬＤＰＣ符号化のリフティングサイズセットが表１に示されており、８個のサブセットを含んでおり、サブセットインデックス番号は０から７である。準巡回ＬＤＰＣ符号化におけるパリティ検査行列（ＰＣＭ）のベースグラフは、ベースグラフ１およびベースグラフ２の２種類を含む。基本グラフ行列のベースグラフ１は４６行６８列を有し、基本グラフ行列のベースグラフ２は４２行５２列を有する。表２は、基本グラフ行列のベースグラフ１に対応する基本グラフ行列と、対応する８個のパリティ検査行列（ＰＣＭ）とを示しており、ここでｉは行インデックスを示すために使用しており、ｊは列インデックスを示すために使用している。ここで、ｉＬＳはインデックス番号であり、リフティングサイズサブセットのインデックス番号にも対応し、表２の各｛ｉ，ｊ｝の組合せは、ベースグラフ１の第ｉ行第ｊ列が「１」エレメントであることを確定する。基本グラフ行列のベースグラフ２と、対応する８個のＰＣＭとが表３に対応する。上記ベースグラフ１のマザーコードの符号化率は（６８−４６）／（６８−２）＝１／３＝０．３３３３であり、上記ベースグラフ２のマザーコードの符号化率は（５２−４２）／（５２−２）＝１／５＝０．２である。
【００６１】
ＬＤＰＣ符号化プロセスでは、基本グラフ行列は情報パケット長情報と準巡回ＬＤＰＣ符号化率情報とに基づいて確定される。たとえば、情報パケット長情報が３０８未満である場合、または情報パケット長情報が３８４０以下であり準巡回ＬＤＰＣ符号化率が２／３以下である場合、またはＬＤＰＣ符号化率が１／４以下である場合は、基本グラフ行列のベースグラフ２が選択され、上記の状況に加えて、基本グラフ行列のベースグラフ１が選択される。そして、情報パケット長情報と基本グラフ行列のシステム列数情報ｋｂとに従って、準巡回ＬＤＰＣ符号化のリフティングサイズＺが表１から確定され、たとえば、Ｋ／ｋｂ以上の１つのリフティングサイズＺが表１から選択され、リフティングサイズサブセットの対応するインデックス番号がリフティングサイズＺに従って取得され得、表２または表３からのＰＣＭがリフティングサイズサブセットのインデックス番号に従って確定され得る。リフティングサイズＺに対応する基本行列Ｈｂは式に従って得ることができ、上記はシフト値行列の第ｉ行第ｊ列のエレメントであり、準巡回ＬＤＰＣ符号化はリフティングサイズＺおよび基本行列Ｈｂに従って情報グループビットシーケンスに対して行われ得る。
【００６２】
【表１】
2021513297.tif 000004
【００６３】
【表２】
2021513297.tif 000005
2021513297.tif 000006
2021513297.tif 000007
2021513297.tif 000008
【００６４】
【表３】
2021513297.tif 000009
2021513297.tif 000010
2021513297.tif 000011
【００６５】
以下に本実施形態を例示的な実施形態と組合せて説明する。
例示的な実施形態１
通信装置またはＵＥに適用されるデータ通信処理方法は、無線通信ノードから制御情報を受信することを含み、無線通信ノードは基地局（ＢＳ）を含み、制御情報はダウンリンク制御情報（ＤＣＩ）である。
【００６６】
制御情報は、少なくとも変調符号化方式（ＭＣＳ）フィールド情報を含む。ＭＣＳフィールド情報を適用して、ＭＣＳフィールド情報に従ってＭＣＳテーブルから変調次数および目標符号化率を確定し、少なくともリソースエレメントの総数、変調次数および目標符号化率に従って情報ビットの中間数Ｎｉｎｆｏを計算し、情報ビットの中間数Ｎｉｎｆｏを量子化して量子化された中間数Ｎ′ｉｎｆｏを得て、量子化された中間数Ｎ′ｉｎｆｏに従って一次元のＴＢＳテーブルから１つのＴＢＳを選択する。
【００６７】
ＵＥは、ＴＢＳに従って基地局からのデータを復調および復号して、ＴＢＳのサイズの受信データを得るか、または、ＴＢＳの長さの情報ビットデータに対して低密度パリティ検査符号（ＬＤＰＣ）符号化を実行して、符号化されたデータを得て、符号化されたデータを基地局に送信する。
【００６８】
一実施形態において、ＵＥは以下に説明するステップを通じてＴＢＳを確定する。
ステップ１０において、ＵＥはまずスロット内のリソースエレメント（ＲＥ）の総数（ＮＲＥ）を確定する。
【００６９】
【数２】
2021513297.tif 000012
【００７０】
計算した各ＰＲＢにおける利用可能なＲＥの数Ｎ′ＲＥに従って、リソースエレメントの総数（ＮＲＥ）をＮＲＥ＝ｍｉｎ（１５６，Ｎ′ＲＥ)・ｎＰＲＢに従って計算し、ここでｎＰＲＢは割当てられたリソースブロックの総数であり、これはダウンリンク制御シグナリングにおける周波数フィールドリソースフィールドシグナリングによって確定される。
【００７１】
ステップ２０において、少なくともリソースエレメントの総数、変調次数および目標符号化率に従って情報ビットの中間数Ｎｉｎｆｏを計算し、ここで計算式は以下の通り、すなわち、Ｎｉｎｆｏ＝ＮＲＥ・Ｒ・Ｑｍ・υである。
【００７２】
上記式におけるＮＲＥはリソースエレメントの総数であり、Ｒは目標符号化率であり、Ｑｍは変調次数であり、υは層数である。変調次数および目標符号化率は、ＵＥが受信したＭＣＳフィールド情報に基づいてＭＣＳテーブルから確定される。
【００７３】
計算した情報ビットの中間数Ｎｉｎｆｏが３８２４（予め設定された閾値は３８２４に等しい）以下である場合は、ＴＢＳはステップ３に従って確定され、中間数Ｎｉｎｆｏが３８２４よりも大きい場合は、ＴＢＳはステップ４に従って確定される。
【００７４】
ステップ３０において、中間数Ｎｉｎｆｏ≦３８２４（予め設定された閾値は３８２４に等しい）である場合、ＴＢＳは以下の処理方法、すなわち、情報ビットの中間数Ｎｉｎｆｏを量子化計算して、量子化された中間数Ｎ′ｉｎｆｏを得ることに従って確定される。本実施形態では、情報ビットの中間数Ｎｉｎｆｏを量子化計算して量子化された中間数Ｎ′ｉｎｆｏを得ることは、量子化された中間数Ｎ′ｉｎｆｏを得る以下の方法のうちの１つを含む。
【００７５】
【数３】
2021513297.tif 000013
【００７６】
表１−１の一次元のＴＢＳテーブルから、最終のＴＢＳよりも小さく最終のＴＢＳに最も近いＴＢＳを見つける。
【００７７】
【表１−１】
2021513297.tif 000014
【００７８】
【数４】
2021513297.tif 000015
【００７９】
本実施形態では、ステップ２０、３０および４０における予め設定された閾値は３８２４に等しく、予め設定された閾値は３８２４に限定されず、予め設定された閾値は２０４８から６１４４までの任意の整数に等しくてもよい。一実施形態において、予め設定された閾値は３８１６、３８４０または３８９６に等しくてもよい。
【００８０】
性能比較チャートが図３Ａ〜図３Ｃに示されており、縦座標は有効符号化率であり、水平面内の２つの座標は、割当てられたリソースブロック（ＰＲＢ）の総数、および１つのリソースブロック（ＰＲＢ）内に割当てられたリソースエレメントの数である。図３Ａは、ステップ３において方法１を用いることによって情報ビットの中間数Ｎｉｎｆｏを量子化して量子化された中間数Ｎ′ｉｎｆｏを得ることに対応する符号化率図であり、図３Ｂは、ステップ３において方法２を用いることによって情報ビットの中間数Ｎｉｎｆｏを量子化して量子化された中間数Ｎ′ｉｎｆｏを得ることに対応する符号化率図であり、図３Ｃは、ステップ３において方法１を用いることによってＯｆｆｓｅｔを減算しない量子化方法（すなわち、量子化式はＯｆｆｓｅｔまたはαを減算しない）に対応する符号化率図である。表１〜３に示すＭＣＳテーブル（最高変調次数は８であり、これは２５６ＱＡＭに対応する）については、当該量子化方法を用いることによって得られた符号化率からＯｆｆｓｅｔを減算することによって得られた符号化率のほとんどが０．９５未満であることが分かり、したがって、ＬＤＰＣを復号する際にＬＤＰＣを正確に復号できる。図３Ｃの符号化率図では、量子化式においてＯｆｆｓｅｔを減算しない量子化方法によって得られた符号化率の一部が０．９５よりも大きいことが分かり、したがって、実際の作業では性能を保証するために再伝送が必要であるが、再伝送は大きな遅延をもたらす。当該量子化方法は比較的大きな利点を有する。
【００８１】
ステップ３０における処理方法は上記の方法に限定されず、以下の処理方法であってもよい。
【００８２】
【数５】
2021513297.tif 000016
【００８３】
一実施形態において、ＭＣＳフィールド情報に従ってＭＣＳテーブルから変調次数および目標符号化率を確定することは、上位層シグナリングに従って複数のＭＣＳテーブルから上記ＭＣＳテーブルを確定することをさらに含む。上位層シグナリングはテーブルフィールドシグナリング（ＭＣＳ−Ｔａｂｌｅ−ＰＤＳＣＨ）であってもよい。ＭＣＳ−Ｔａｂｌｅ−ＰＤＳＣＨが「２５６ＱＡＭ」を示さない場合、変調次数および目標符号化率は、変調符号化方式フィールド情報に従って表１−２のＭＣＳテーブルの例において確定される。ＭＣＳ−Ｔａｂｌｅ−ＰＤＳＣＨが「２５６ＱＡＭ」を示す場合、変調次数および目標符号化率は、ＭＣＳフィールド情報に従って表１−３のＭＣＳテーブルの例から確定される。本実施形態では、上記ＭＣＳテーブル内の目標符号化率の値はすべて１よりも大きい（チャネル符号化における符号化率は一般的に１以下であり、例示的なテーブルではこれに１０２４を掛けている）ため、実際の目標符号化率値も１０２４で割る必要がある。すなわち、ＭＣＳテーブルの記述において、上記の目標符号化率は１０２４倍して得られる値である。表１−２に示すように、０のＭＣＳインデックスに対応する目標符号化率は１２０／１０２４である。
【００８４】
【表１−２】
2021513297.tif 000017
【００８５】
【表１−３】
2021513297.tif 000018
【００８６】
例示的な実施形態２
通信装置またはＵＥに適用されるデータ通信処理方法は、無線通信ノードから制御情報を受信することを含み、無線通信ノードは基地局（ＢＳ）を含み、制御情報はダウンリンク制御情報（ＤＣＩ）である。制御情報は、少なくとも変調符号化方式（ＭＣＳ）フィールド情報を含む。ＭＣＳフィールド情報を適用して、ＭＣＳフィールド情報に従ってＭＣＳテーブルから変調次数および目標符号化率を確定し、少なくともリソースエレメントの総数、変調次数および目標符号化率に従って情報ビットの中間数Ｎｉｎｆｏを計算し、情報ビットの中間数Ｎｉｎｆｏを量子化して量子化された中間数Ｎ′ｉｎｆｏを得て、量子化された中間数Ｎ′ｉｎｆｏに従って一次元のＴＢＳテーブルから１つのＴＢＳを選択する。
【００８７】
ＵＥは、ＴＢＳに従って基地局からのデータを復調および復号して、ＴＢＳのサイズの受信データを得るか、または、ＴＢＳの長さの情報ビットデータに対して低密度パリティ検査符号（ＬＤＰＣ）符号化を実行して、符号化されたデータを得て、符号化されたデータを基地局に送信する。
【００８８】
一実施形態において、ＭＣＳフィールド情報に従ってＭＣＳテーブルから変調次数および目標符号化率を確定することは、上位層シグナリングに従って複数のＭＣＳテーブルから上記ＭＣＳテーブルを確定することをさらに含む。上位層シグナリングは、ＭＣＳテーブルフィールドシグナリング（ＭＣＳ−Ｔａｂｌｅ−ＰＤＳＣＨ）、目標ブロック誤り率（ＢＬＥＲ）フィールドシグナリング（ＢＬＥＲ−Ｔａｒｇｅｔ）、ＣＱＩテーブルフィールドシグナリング（ＣＱＩ−ｔａｂｌｅ）のうちの少なくとも１つを含むがこれに限定されない。
【００８９】
一実施形態において、複数のＭＣＳテーブルは少なくとも１つのＭＣＳテーブルを含み、当該１つのＭＣＳテーブルは少なくとも以下のフィールド、すなわち、ＭＣＳインデックス、変調次数、および目標符号化率を含み、当該１つのＭＣＳテーブル内の変調次数が１であるすべてのＭＣＳの中の最大目標符号化率はマザーコードの符号化率とΔａとの和に等しく、Δａは−０．０８よりも大きく０．０８よりも小さい実数である。たとえば表２−１参照。マザーコードの符号化率は、ＮＲプロトコルによって規定されるＬＤＰＣ符号化の基本グラフのベースグラフ２のマザーコードの符号化率であり、すなわち、マザーコードの符号化率は１／５＝０．２に等しい。
【００９０】
【表２−１】
2021513297.tif 000019
【００９１】
一実施形態において、複数のＭＣＳテーブルは少なくとも１つのＭＣＳテーブルを含み、当該１つのＭＣＳテーブルは少なくとも以下のフィールド、すなわち、ＭＣＳインデックスおよびスペクトル効率を含み、当該１つのＭＣＳテーブル内のスペクトル効率がΔｓ未満であるＭＣＳに対応する冗長バージョンはＲＶ０のみであり、当該１つのＭＣＳテーブル内のスペクトル効率がΔｓよりも大きいＭＣＳに対応する冗長バージョンはＲＶ０およびＲＶ２のみであり、Δｓは０．６５よりも大きく０．８５よりも小さい実数であり、これは表２−２に示されている。上述のように設計されたＭＣＳテーブルを用いる有益な効果は、４ビットの制御シグナリング情報を用いるだけでＭＣＳレベル情報および冗長バージョン情報を含めることができ、これにより、制御シグナリングが占めるリソースが大幅に節約されて通信システムの安定性が大幅に向上することである。本実施形態では、上記のＭＣＳテーブルは以下のフィールド、すなわち、ＭＣＳインデックス、変調次数、目標符号化率、スペクトル効率、および冗長バージョン（ＲＶ）インデックスを含む。ＭＣＳインデックスは、変調次数、目標符号化率、スペクトル効率、およびＲＶインデックスの組合せを一意に示すことが分かる。対応する変調次数、目標符号化率およびＲＶインデックスは、ダウンリンク制御情報（ＤＣＩ）内のＭＣＳフィールド情報によって得ることができる。
【００９２】
【表２−２】
2021513297.tif 000020
【００９３】
一実施形態において、複数のＭＣＳテーブルは少なくとも１つのＭＣＳテーブルを含み、当該１つのＭＣＳテーブルは少なくとも以下のフィールド、すなわち、ＭＣＳインデックス、変調次数、目標符号化率、およびスペクトル効率を含み、当該１つのＭＣＳテーブル内のＭＣＳインデックスは、変調次数のＭＣＳに対応する冗長バージョン番号（インデックス）のみを示す（対応する目標符号化率およびスペクトル効率を示さず、または、対応する目標符号化率およびスペクトル効率は予約項目である）。ＭＣＳテーブルの例は表２−２に示す通りであり、ここで、変調次数のみを示すＭＣＳインデックスは１３、１４および１５であり、インデックスが１３、１４および１５であるＭＣＳによって示される対応する冗長バージョン番号（インデックス）は２に等しい。
【００９４】
一実施形態において、複数のＭＣＳテーブルは少なくとも１つのＭＣＳテーブルを含み、当該１つのＭＣＳテーブルは少なくとも以下のフィールド、すなわち、ＭＣＳインデックスおよび目標符号化率を含み、当該１つのＭＣＳテーブルにおいて、目標符号化率がマザーコードとΔｂとの和よりも小さいＭＣＳに対応する冗長バージョンはＲＶ０のみであり、Δｂは０．１以下の正の実数であり、および／または、
当該１つのＭＣＳテーブルにおいて、目標符号化率がマザーコードとΔｂとの和よりも大きく、マザーコードの符号化率の２倍とΔｃとの和よりも小さいＭＣＳに対応する冗長バージョンは｛ＲＶ０，ＲＶ２｝を含み、Δｂは０．１以下の正の実数であり、Δｃは０．１以下の正の実数であり、および／または、
当該１つのＭＣＳテーブルにおいて、目標符号化率がマザーコードの符号化率の２倍とΔｃとの和よりも大きいＭＣＳに対応する冗長バージョンは｛ＲＶ０，ＲＶ２，ＲＶ３｝、｛ＲＶ０，ＲＶ２，ＲＶ１｝または｛ＲＶ０，ＲＶ２，ＲＶ３，ＲＶ１｝を含み、Δｃは０．１以下の正の実数である。たとえば表２−１参照。マザーコードの符号化率は、ＮＲプロトコルによって規定されるＬＤＰＣ符号化の基本グラフのベースグラフ２のマザーコードの符号化率であり、すなわち、マザーコードの符号化率は１／５＝０．２に等しい。
【００９５】
本実施形態では、ＭＣＳテーブルの一例は以下のフィールド、すなわち、ＭＣＳインデックス、変調次数、目標符号化率、スペクトル効率、および冗長バージョン（ＲＶ）番号を含み、これは表２−３に示されている。
【００９６】
【表２−３】
2021513297.tif 000021
【００９７】
表２−３から、目標符号化率｛７８，１２０，１９３｝／１０２４に対応するＭＣＳの冗長バージョンは、表内のＭＣＳインデックス｛０，１，２｝などのＲＶ０のみであることが分かり、目標符号化率が比較的低いため、目標符号化率はマザーコードの符号化率のマザーコードの符号化率未満であるかこれに非常に近く（上記のマザーコードの符号化率はベースグラフ２である）、上記のマザーコードの符号化率は１／５＝０．２に等しい。さらに、目標符号化率｛３０８，４４９，３７８，４９０，４６６｝／１０２４に対応するＭＣＳの冗長バージョンは、｛ＲＶ０，ＲＶ２｝のみである。目標符号化率｛６０２，６１６，５６７，６６６，４６６｝／１０２４に対応するＭＣＳの冗長バージョンは、｛ＲＶ０，ＲＶ２｝であり得る。上記のΔｂおよびΔｃは、それぞれ０．０５および０．０６に等しいとみなすことができる。
【００９８】
一実施形態において、複数のＭＣＳテーブルは少なくとも１つのＭＣＳテーブルを含み、１つのＭＣＳテーブルにおいて、ＲＶ０のみをサポートするＭＣＳの番号は３または４である。一実施形態において、複数のＭＣＳテーブルは少なくとも１つのＭＣＳテーブルを含み、１つのＭＣＳテーブルにおいて、ＲＶ０およびＲＶ２のみをサポートするＭＣＳの番号は４または５である。本実施形態はさらに、以下のフィールド、すなわち、ＭＣＳインデックス、変調次数、目標符号化率、スペクトル効率、および冗長バージョン（ＲＶ）番号を含むＭＣＳテーブルの一例を提供し、これは表２−４に示されている。
【００９９】
【表２−４】
2021513297.tif 000022
【０１００】
一実施形態において、複数のＭＣＳテーブルは少なくとも１つのＭＣＳテーブルを含み、１つのＭＣＳテーブルにおいて、インデックスが０であるＭＣＳの目標符号化率は８０／１０２４であり、および／または、インデックスが１であるＭＣＳの目標符号化率は１５６／１０２４である。一実施形態において、１つのＭＣＳレベル０およびＭＣＳレベル１が示す変調次数は１に等しい。
【０１０１】
一実施形態において、変調符号化方式（ＭＣＳ）フィールド情報に従ってＭＣＳテーブルから変調次数および目標符号化率を確定することは、上位層シグナリングが示す目標ブロック誤り率（ＢＬＥＲ）が０．１に等しくない場合、変調次数、目標符号化率および冗長バージョン番号をＭＣＳフィールド情報に従ってＭＣＳテーブルから確定することをさらに含む。本実施形態はＭＣＳテーブルを提供し、当該テーブルは、表２−５または表２−６に示すように、最大変調次数６に対応し、巡回プレフィックス直交周波数分割多重化（ＣＰ−ＯＦＤＭ）の信号波形に用いられる。変換プリコーディングＯＦＤＭまたは離散フーリエ変換スペクトル拡散ＯＦＤＭの信号波形にＭＣＳテーブルが提供され、当該テーブルは、表２−７または表２−８に示すように、ＰＵＳＣＨの変調次数および目標符号化率を確定するために用いられ得る。表２−５および表２−６に示すＭＣＳテーブルの例は５ビット表示に対応し、表２−７および表２−８に示すＭＣＳテーブルの例は４ビット表示に対応する。
【０１０２】
【表２−５】
2021513297.tif 000023
【０１０３】
【表２−６】
2021513297.tif 000024
【０１０４】
【表２−７】
2021513297.tif 000025
【０１０５】
【表２−８】
2021513297.tif 000026
【０１０６】
目標ＢＬＥＲフィールドシグナリングＢＬＥＲ−Ｔａｒｇｅｔが、目標ＢＬＥＲが０．１に等しくないことを示す場合、複数のＭＣＳテーブルから第１のＭＣＳテーブルが上記ＭＣＳテーブルとして選択され、当該ＭＣＳテーブルは、目標ＢＬＥＲが０．１に等しくないＭＣＳテーブルに対応する（または超高信頼・低遅延通信ＭＣＳテーブルに適用される）。
【０１０７】
ＭＣＳフィールド情報に従ってＭＣＳテーブルから変調次数および目標符号化率を確定し、少なくともリソースエレメントの総数、変調次数および目標符号化率に従って情報ビットの中間数Ｎｉｎｆｏを計算し、情報ビットの中間数Ｎｉｎｆｏを量子化して量子化された中間数Ｎ′ｉｎｆｏを得て、量子化された中間数Ｎ′ｉｎｆｏに従って一次元のＴＢＳテーブルから１つのＴＢＳを選択する。
【０１０８】
一実施形態において、第１のＭＣＳテーブルは少なくとも以下のフィールド、すなわち、ＭＣＳインデックス、変調次数、およびスペクトル効率を含み、変調次数が１であるＭＣＳの最大目標符号化率はＭＣＳテーブルにおいてＳｅであり、Ｓｅはマザーコードの符号化率とΔＳｅとの和に等しく、ΔＳｅは−０．０５から０．０３の範囲の実数である。本実施形態では、マザーコードの符号化率はＬＤＰＣ符号化のベースグラフ２のマザーコードの符号化率に等しく、これは０．２に等しい。
【０１０９】
一実施形態において、複数のＭＣＳテーブルは、最大変調次数が６の（６４ＱＡＭに対応する）ＭＣＳテーブルと、最大変調次数が８の（２５６ＱＡＭに対応する）ＭＣＳテーブルと、第１のＭＣＳテーブルとを含む。最大変調次数が６の（６４ＱＡＭに対応する）ＭＣＳテーブル、および最大変調次数が８の（２５６ＱＡＭに対応する）ＭＣＳテーブルは、０．１に等しい目標ＢＬＥＲに対応し、第１のＭＣＳテーブルは、０．１に等しくない目標ＢＬＥＲに対応する。一実施形態において、最大変調次数が６であるＭＣＳテーブルは例示的な実施形態１の表１−２に示される通りであり、最大変調次数が８であるＭＣＳテーブルは例示的な実施形態１の表１−３に示される通りであり、第１のＭＣＳテーブルは表２−６に示されている。第１のＭＣＳテーブルにおいて、変調次数が１であるＭＣＳの最大スペクトル効率は０．２０未満である。
【０１１０】
図４Ａおよび図４Ｂに示す性能図は、１Ｅ−３（０．００１）および１Ｅ−５（０．００００１）に等しいＢＬＥＲの性能図に対応する。上記の性能図において、縦座標は効率値であり（ＣＱＩテーブルにおける効率に対応し、ＭＣＳテーブルにおけるスペクトル効率に対応する）、行座標は対応するＢＬＥＲにおいて必要な信号対雑音比を指す（図４Ａは１Ｅ−３であり、図４Ｂは１Ｅ−５である）。効率（またはスペクトル効率）が０．２未満であるＱＰＳＫおよびＢＰＳＫの性能はほぼ同一であることが分かる。ＢＰＳＫの方がピーク対平均電力比（ＰＡＰＲ）が良好であるため、ＢＰＳＫの方が低スペクトル効率下での性能カバレッジが良好である。
【０１１１】
本実施形態は、表２−９に示すようなＭＣＳの例を提供し、上記ＭＣＳテーブルは以下のフィールド、すなわち、ＭＣＳインデックス、変調次数、目標符号化率、およびスペクトル効率を含み、変調次数が１であるＭＣＳの対応する最大目標符号化率は２４０／１０２４であり、対応するＭＣＳインデックスは４である。変調次数が１であるＭＣＳに対応する最大スペクトル効率は０．２３４４である。変調次数が１であるＭＣＳの数は５である。変調次数が１であるＭＣＳの数は上述の４および５に限定されず、変調次数が１であるＭＣＳの数は６、７、８、９または１０に等しくてもよい。
【０１１２】
【表２−９】
2021513297.tif 000027
【０１１３】
本実施形態は、表２−１０に示すＭＣＳの例を提供する。
【０１１４】
【表２−１０】
2021513297.tif 000028
【０１１５】
例示的な実施形態３
通信装置またはＵＥに適用されるデータ通信処理方法は、無線通信ノードから制御情報を受信することを含み、無線通信ノードは基地局（ＢＳ）を含み、制御情報はダウンリンク制御情報（ＤＣＩ）である。制御情報は、少なくとも変調符号化方式（ＭＣＳ）フィールド情報を含む。ＭＣＳフィールド情報を適用して、ＭＣＳフィールド情報に従ってＭＣＳテーブルから変調次数および目標符号化率を確定し、少なくともリソースエレメントの総数、変調次数および目標符号化率に従って情報ビットの中間数Ｎｉｎｆｏを計算し、情報ビットの中間数Ｎｉｎｆｏを量子化して量子化された中間数Ｎ′ｉｎｆｏを得て、量子化された中間数Ｎ′ｉｎｆｏに従って一次元のＴＢＳテーブルから１つのＴＢＳを選択する。
【０１１６】
ＵＥは、ＴＢＳに従って基地局からのデータを復調および復号して、ＴＢＳのサイズの受信データを得るか、または、ＴＢＳの長さの情報ビットデータに対して低密度パリティ検査符号（ＬＤＰＣ）符号化を実行して、符号化されたデータを得て、符号化されたデータを基地局に送信する。
【０１１７】
一実施形態において、ＭＣＳテーブルは以下の通りであり、ＭＣＳテーブルの例は表３−１および表３−２のうちの少なくとも一方であり、当該ＭＣＳテーブルは少なくとも変調次数が１であるＭＣＳを含む。ＭＣＳテーブルの例３−１は５ビット（３２個の状態、すなわち３２個のＭＣＳレベル）のＭＣＳテーブルである。上記ＭＣＳテーブルには、変調次数が１であるＭＣＳは４つある。ＭＣＳテーブルの例３−２は４ビット（１６個の状態、すなわち１６個のＭＣＳレベルがある）のＭＣＳテーブルであり、上記ＭＣＳテーブルには、変調次数が１であるＭＣＳは２つある。
【０１１８】
【表３−１】
2021513297.tif 000029
【０１１９】
【表３−２】
2021513297.tif 000030
【０１２０】
本実施形態では、ＭＣＳテーブルは以下のように説明することもできる。ＭＣＳテーブルは以下の特徴、すなわち、上述のＭＣＳテーブル内の変調次数が１であるＭＣＳに対応する目標符号化率が以下の値、すなわち、１０８、１５０、１９２、および２６５のうちの少なくとも１つを含むこと、かつ、以下の値、すなわち、８０、１１８、１５６、および１９８のうちの少なくとも１つを含むこと、のうちの少なくとも一方を含む。本実施形態は、表３−３に示すようなＭＣＳテーブルの例を提供する。当該ＭＣＳテーブルは、少なくとも変調次数が１であり最大変調次数が６であるＭＣＳを含む。当該ＭＣＳテーブルの最大変調次数は４または８に等しくてもよい。
【０１２１】
【表３−３】
2021513297.tif 000031
【０１２２】
本実施形態では、ＭＣＳテーブルは以下のように説明することもできる。ＭＣＳテーブルは以下の特徴、すなわち、上述のＭＣＳテーブル内の変調次数が１であるＭＣＳに対応する目標符号化率が以下の値、すなわち、６０、１０８、１４０、１７２および２１２のうちの少なくとも１つを含むこと、かつ、以下の値、すなわち、８０、２００、１２８、１５４および４０のうちの少なくとも１つを含むこと、のうちの少なくとも一方を含む。本実施形態は、表３−４に示すようなＭＣＳテーブルの例を提供する。当該ＭＣＳテーブルは、少なくとも変調次数が１であり最大変調次数が４であるＭＣＳを含む。当該ＭＣＳテーブルの最大変調次数は６または８に等しくてもよい。
【０１２３】
【表３−４】
2021513297.tif 000032
【０１２４】
例示的な実施形態４
無線通信ノード（基地局）に適用されるデータ通信処理方法は、無線通信ノードに関連する通信装置の制御情報を生成することを含み、制御情報は少なくとも変調符号化方式（ＭＣＳ）フィールド情報を含み、ＭＣＳフィールド情報を適用して、ＭＣＳフィールド情報に従ってＭＣＳテーブルから変調次数および目標符号化率を確定し、少なくともリソースエレメントの総数、変調次数および目標符号化率に従って情報ビットの中間数Ｎｉｎｆｏを計算し、情報ビットの中間数Ｎｉｎｆｏを量子化して量子化された中間数Ｎ′ｉｎｆｏを得て、量子化された中間数Ｎ′ｉｎｆｏに従って一次元のＴＢＳテーブルから１つのＴＢＳを選択する。
【０１２５】
無線通信ノードは、ＴＢＳに従って通信装置（またはＵＥ）からのデータを復調および復号して、ＴＢＳのサイズの受信データを得るか、または、ＴＢＳの長さの情報ビットデータに対して低密度パリティ検査符号（ＬＤＰＣ）符号化を実行して、符号化されたデータを得て、符号化されたデータおよび制御情報を通信装置（もしくはＵＥ）に送信するか、または、制御情報を通信装置（もしくはＵＥ）に送信する。
【０１２６】
例示的な実施形態１において上述した量子化方法と同様に、情報ビットの中間数Ｎｉｎｆｏに対して量子化計算を行って量子化された中間数Ｎ′ｉｎｆｏを得るが、ここでは繰返さない。そして、ＭＣＳフィールド情報に従ってＭＣＳテーブルから変調次数および目標符号化率を確定する際に、上記ＭＣＳテーブルは例示的な実施形態２または例示的な実施形態３のＭＣＳテーブルと同様であり、ここでは繰返さない。
【０１２７】
実施形態２
本実施形態は、データ通信処理装置をさらに提供する。当該装置は、上述の実施形態および例示的な実施形態を実現するために用いられる。すでに説明したものは繰返さない。以下で使用する「モジュール」という用語は、予め定められた機能を実現可能なソフトウェア、ハードウェア、またはそれらの組合せであり得る。実施形態において以下に説明する装置はソフトウェアによって実現され得るが、ハードウェアによる、またはソフトウェアとハードウェアとの組合せによる実現も可能であり想定される。
【０１２８】
図５は、一実施形態によって提供されるデータ通信処理装置の構造ブロック図である。図５に示すように、当該装置は、以下に説明する第１の取得モジュール５２と、計算モジュール５４と、第２の取得モジュール５６と、第１の確定モジュール５８とを含む。
【０１２９】
１）  第１の取得モジュール５２は、変調次数および目標符号化率を取得するように構成される。
【０１３０】
２）  計算モジュール５４は、少なくともリソースエレメントの総数、変調次数および目標符号化率に従って情報ビットの中間数Ｎｉｎｆｏを計算するように構成される。
【０１３１】
３）  第２の取得モジュール５６は、情報ビットの中間数Ｎｉｎｆｏを量子化して、量子化された中間数Ｎ′ｉｎｆｏを得るように構成される。
【０１３２】
４）  第１の確定モジュール５８は、量子化された中間数Ｎ′ｉｎｆｏに従ってトランスポートブロックサイズ（ＴＢＳ）を確定するように構成される。
【０１３３】
一実施形態において、第１の確定モジュール５８は、量子化された中間数Ｎ′ｉｎｆｏに従って一次元のＴＢＳテーブルから１つのＴＢＳを選択するように構成される。
【０１３４】
図５に示す装置によって、変調次数および目標符号化率を取得し、少なくともリソースエレメントの総数、変調次数および目標符号化率に従って情報ビットの中間数Ｎｉｎｆｏを計算し、情報ビットの中間数Ｎｉｎｆｏを量子化して量子化された中間数Ｎ′ｉｎｆｏを得て、量子化された中間数Ｎ′ｉｎｆｏに従ってトランスポートブロックサイズ（ＴＢＳ）を確定する。関連技術における通信システムが低遅延・高信頼通信を効果的にサポートできないという課題が解決し、基地局と端末との間の低遅延・高信頼通信の技術的効果が達成される。
【０１３５】
一実施形態において、第１の取得モジュール５２は無線通信ノードから制御情報を受信するように構成され、制御情報は少なくとも変調符号化方式（ＭＣＳ）フィールド情報を含み、ＭＣＳフィールド情報に従ってＭＣＳテーブルから変調次数および目標符号化率を確定し、これにより、関連技術における高いＭＣＳレベルで計算されたＴＢＳによって実際の有効符号化率が０．９５よりも大きくなるという課題が解決する。
【０１３６】
本実施形態は、別のデータ通信処理装置をさらに提供する。当該装置は、上述の実施形態および例示的な実施形態を実現するように構成される。すでに説明したものは繰返さない。以下で使用する「モジュール」という用語は、予め定められた機能を実現可能なソフトウェア、ハードウェア、またはそれらの組合せであり得る。実施形態において以下に説明する装置はソフトウェアによって実現されるが、ハードウェアによる、またはソフトウェアとハードウェアとの組合せによる実現も可能であり想定される。
【０１３７】
図６は、一実施形態によって提供される別のデータ通信処理装置の構造ブロック図である。当該装置は端末に適用される。図６に示すように、当該装置は、以下に説明する第２の確定モジュール６２と、第２の計算モジュール６４と、第３の取得モジュール６６と、第３の確定モジュール６８とを含む。
【０１３８】
１）  第２の確定モジュール６２は、変調次数および目標符号化率を確定するように構成される。
【０１３９】
２）  第２の計算モジュール６４は、少なくともリソースエレメントの総数、変調次数および目標符号化率に従って情報ビットの中間数Ｎｉｎｆｏを計算するように構成される。
【０１４０】
３）  第３の取得モジュール６６は、情報ビットの中間数Ｎｉｎｆｏを量子化して、量子化された中間数Ｎ′ｉｎｆｏを得るように構成される。
【０１４１】
４）  第３の確定モジュール６８は、量子化された中間数Ｎ′ｉｎｆｏに従ってトランスポートブロックサイズ（ＴＢＳ）を確定するように構成される。
【０１４２】
一実施形態において、第３の確定モジュール６８は、量子化された中間数Ｎ′ｉｎｆｏに従って一次元のＴＢＳテーブルから１つのＴＢＳを選択するように構成される。
【０１４３】
図６によって、変調次数および目標符号化率を確定し、少なくともリソースエレメントの総数、変調次数および目標符号化率に従って情報ビットの中間数Ｎｉｎｆｏを計算し、情報ビットの中間数Ｎｉｎｆｏを量子化して量子化された中間数Ｎ′ｉｎｆｏを得て、量子化された中間数Ｎ′ｉｎｆｏに従ってトランスポートブロックサイズ（ＴＢＳ）を確定する。関連技術における通信システムが低遅延・高信頼通信を効果的にサポートできないという課題が解決し、基地局と端末との間の低遅延・高信頼通信の技術的効果が達成される。
【０１４４】
一実施形態において、第２の確定モジュール６２は無線通信ノードに関連する通信装置の制御情報を生成するように構成され、制御情報は少なくとも変調符号化方式（ＭＣＳ）フィールド情報を含み、ＭＣＳフィールド情報に従ってＭＣＳテーブルから変調次数および目標符号化率を確定し、これにより、関連技術における高いＭＣＳレベルで計算されたＴＢＳによって実際の有効符号化率が０．９５よりも大きくなるという課題が解決する。
【０１４５】
【数６】
2021513297.tif 000033
【０１４６】
一実施形態において、情報ビットの中間数Ｎｉｎｆｏは予め設定された閾値以下であり、予め設定された閾値は３８２４、３８１６、３８４０、または３８９６に等しい。
【０１４７】
一実施形態において、上記装置は、上位層シグナリングに従って複数のＭＣＳテーブルから上記ＭＣＳテーブルを確定するように構成されたテーブル確定モジュールをさらに含む。
【０１４８】
一実施形態において、複数のＭＣＳテーブルは少なくとも１つのＭＣＳテーブルを含み、当該１つのＭＣＳテーブルは少なくとも以下のフィールド、すなわち、ＭＣＳインデックス、変調次数、および目標符号化率を含む。当該１つのＭＣＳテーブル内の変調次数が１であるすべてのＭＣＳの中の最大目標符号化率はマザーコードの符号化率とΔａとの和に等しく、Δａは−０．０８よりも大きく０．０８よりも小さい実数である。
【０１４９】
一実施形態において、複数のＭＣＳテーブルは少なくとも１つのＭＣＳテーブルを含み、当該１つのＭＣＳテーブルは少なくとも以下のフィールド、すなわち、ＭＣＳインデックス、変調次数、目標符号化率、およびスペクトル効率を含み、当該１つのＭＣＳテーブル内のスペクトル効率がΔｓ未満であるＭＣＳに対応する冗長バージョンはＲＶ０のみであり、当該１つのＭＣＳテーブル内のスペクトル効率がΔｓよりも大きいＭＣＳに対応する冗長バージョンはＲＶ０およびＲＶ２のみである。ここでΔｓは０．６５よりも大きく０．８５よりも小さい実数である。
【０１５０】
一実施形態において、複数のＭＣＳテーブルは少なくとも１つのＭＣＳテーブルを含み、当該１つのＭＣＳテーブルは少なくとも以下のフィールド、すなわち、ＭＣＳインデックス、変調次数、および目標符号化率を含み、当該１つのＭＣＳテーブルにおいて、目標符号化率がマザーコードとΔｂとの和よりも小さいＭＣＳに対応する冗長バージョンはＲＶ０のみであり、Δｂは０．１以下の正の実数である。
【０１５１】
一実施形態において、当該１つのＭＣＳテーブルにおいて、目標符号化率がマザーコードとΔｂとの和よりも大きく、マザーコードの符号化率の２倍とΔｃとの和よりも小さいＭＣＳに対応する冗長バージョンは｛ＲＶ０，ＲＶ２｝を含み、Δｂは０．１以下の正の実数であり、Δｃは０．１以下の正の実数である。
【０１５２】
一実施形態において、当該１つのＭＣＳテーブルにおいて、目標符号化率がマザーコードの符号化率の２倍とΔｃとの和よりも大きいＭＣＳに対応する冗長バージョンは｛ＲＶ０，ＲＶ２，ＲＶ３｝、｛ＲＶ０，ＲＶ２，ＲＶ１｝または｛ＲＶ０，ＲＶ２，ＲＶ３，ＲＶ１｝を含み、Δｃは０．１以下の正の実数である。
【０１５３】
一実施形態において、マザーコードの符号化率は０．２に等しい。
一実施形態において、複数のＭＣＳテーブルは少なくとも１つのＭＣＳテーブルを含み、１つのＭＣＳテーブルにおいて、ＲＶ０のみをサポートするＭＣＳの番号は３または４である。
【０１５４】
一実施形態において、複数のＭＣＳテーブルは少なくとも１つのＭＣＳテーブルを含み、１つのＭＣＳテーブルにおいて、ＲＶ０およびＲＶ２のみをサポートするＭＣＳの番号は４または５である。
【０１５５】
一実施形態において、複数のＭＣＳテーブルは少なくとも１つのＭＣＳテーブルを含み、１つのＭＣＳテーブルにおいて、インデックスが０であるＭＣＳの目標符号化率は８０／１０２４であり、および／または、インデックスが１であるＭＣＳの目標符号化率は１５６／１０２４である。
【０１５６】
一実施形態において、複数のＭＣＳテーブルは少なくとも１つのＭＣＳテーブルを含み、当該１つのＭＣＳテーブルは少なくとも以下のフィールド、すなわち、ＭＣＳインデックス、変調次数、目標符号化率、および冗長バージョン番号を含む。
【０１５７】
一実施形態において、ＭＣＳテーブルは少なくとも以下のフィールド、すなわち、ＭＣＳインデックスおよび変調次数を含み、変調次数が１であるＭＣＳの数は４、５および６である。
【０１５８】
一実施形態において、ＭＣＳテーブルは少なくとも以下のフィールド、すなわち、ＭＣＳインデックス、変調次数、および目標符号化率を含み、変調次数が１であるＭＣＳの最大目標符号化率は１９８／１０２４または２４０／１０２４である。
【０１５９】
一実施形態において、ＭＣＳテーブルは少なくとも以下のフィールド、すなわち、ＭＣＳインデックスおよびスペクトル効率を含み、変調次数が１であるＭＣＳの最大目標符号化率は０．１９３４または０．２３４４である。
【０１６０】
上述のさまざまなモジュールはソフトウェアによって実現されてもよいし、ハードウェアによって実現されてもよい。ハードウェアによる実現は以下の態様で、すなわち、上述のさまざまなモジュールは同一のプロセッサ内に位置するか、または任意の組合せの形態の異なるプロセッサ内に位置する、で実行され得るが、必ずしもこのように実行されるわけではない。
【０１６１】
実施形態３
本開示の実施形態は、記憶媒体をさらに提供する。当該記憶媒体はコンピュータプログラムを格納するように構成され、当該コンピュータプログラムは実行されると上述の方法の実施形態のうちのいずれか１つのステップを実行する。
【０１６２】
本実施形態では、記憶媒体は、以下のステップ、すなわち、変調次数および目標符号化率を取得するステップと、少なくともリソースエレメントの総数、変調次数および目標符号化率に従って情報ビットの中間数Ｎｉｎｆｏを計算するステップと、情報ビットの中間数Ｎｉｎｆｏを量子化して、量子化された中間数Ｎ′ｉｎｆｏを得るステップと、量子化された中間数Ｎ′ｉｎｆｏに従ってトランスポートブロックサイズ（ＴＢＳ）を確定するステップとを実行するためのコンピュータプログラムを格納するように構成されてもよい。
【０１６３】
一実施形態において、記憶媒体はさらに、以下のステップ、すなわち、変調次数および目標符号化率を確定するステップと、少なくともリソースエレメントの総数、変調次数および目標符号化率に従って情報ビットの中間数Ｎｉｎｆｏを計算するステップと、情報ビットの中間数Ｎｉｎｆｏを量子化して、量子化された中間数Ｎ′ｉｎｆｏを得るステップと、量子化された中間数Ｎ′ｉｎｆｏに従ってトランスポートブロックサイズ（ＴＢＳ）を確定するステップとを実行するためのコンピュータプログラムを格納するように構成される。
【０１６４】
一実施形態において、上述の記憶媒体は、ＵＳＢフラッシュディスク、読出専用メモリ（ＲＯＭ）、ランダムアクセスメモリ（ＲＡＭ）、モバイルハードディスク、磁気ディスク、光ディスク、またはコンピュータプログラムを格納可能な別の媒体を含み得るがこれらに限定されない。
【０１６５】
本開示の実施形態は、メモリおよびプロセッサを含む電子装置をさらに提供し、当該メモリはコンピュータプログラムを格納するように構成され、当該プロセッサは当該コンピュータプログラムを実行して上述の方法の実施形態のうちのいずれか１つにおけるステップを実行するように構成される。
【０１６６】
一実施形態において、上述の電子装置は伝送装置および入出力装置をさらに含んでもよく、当該伝送装置および入出力装置は両方とも上述のプロセッサに接続される。
【０１６７】
一実施形態において、プロセッサはさらに、以下のステップ、すなわち、変調次数および目標符号化率を取得するステップと、少なくともリソースエレメントの総数、変調次数および目標符号化率に従って情報ビットの中間数Ｎｉｎｆｏを計算するステップと、情報ビットの中間数Ｎｉｎｆｏを量子化して、量子化された中間数Ｎ′ｉｎｆｏを得るステップと、量子化された中間数Ｎ′ｉｎｆｏに従ってトランスポートブロックサイズ（ＴＢＳ）を確定するステップとを実行するためのコンピュータプログラムを格納するように構成されてもよい。
【０１６８】
一実施形態において、電子装置はさらに、以下のステップ、すなわち、変調次数および目標符号化率を確定するステップと、少なくともリソースエレメントの総数、変調次数および目標符号化率に従って情報ビットの中間数Ｎｉｎｆｏを計算するステップと、情報ビットの中間数Ｎｉｎｆｏを量子化して、量子化された中間数Ｎ′ｉｎｆｏを得るステップと、量子化された中間数Ｎ′ｉｎｆｏに従ってトランスポートブロックサイズ（ＴＢＳ）を確定するステップとを実行するためのコンピュータプログラムを格納するように構成される。
【０１６９】
本実施形態における具体例については、上述の実施形態および例示的な実現態様で説明した例を参照することができ、これらの例は本実施形態では繰返さない。
【０１７０】
上記実施形態で説明した本開示の少なくとも１つのモジュールまたは少なくとも１つのステップは汎用の計算装置によって実現されてもよく、上述の少なくとも１つのモジュールまたは少なくとも１つのステップは単一の計算装置上に集中されてもよいし、複数の計算装置からなるネットワーク上に分散されてもよい。
【０１７１】
一実施形態において、少なくとも１つのモジュールまたは少なくとも１つのステップは、計算装置によって実行可能なプログラムコードを計算装置によって実行される記憶装置に格納することができるように、当該プログラムコードによって実行されててもよい。ある状況では、図示または説明したステップを明細書に記載したものとは異なる順番で実行してもよいし、少なくとも１つのモジュールまたは少なくとも１つのステップを別々に少なくとも１つの集積回路モジュールにしてもよいし、その中の複数のモジュールまたはステップを単一の集積回路モジュールにして実現してもよい。このように、本開示はハードウェアおよびソフトウェアのいずれの特定の組合せにも限定されない。
【図１】
2021513297.tif 000042
【図２】
2021513297.tif 000043
【図３（ａ）】
2021513297.tif 000044
【図３（ｂ）】
2021513297.tif 000045
【図３（ｃ）】
2021513297.tif 000046
【図４（ａ）】
2021513297.tif 000047
【図４（ｂ）】
2021513297.tif 000048
【図５】
2021513297.tif 000049
【図６】
2021513297.tif 000050
【国際調査報告】
2021513297.tif 000051
2021513297.tif 000052
2021513297.tif 000053
2021513297.tif 000054